(57)【要約】【課題】手術に使用されない医療機器の電源が入っていることがなく、看護師等が手術に使用するものとの誤認が生ぜず、かつ無駄な電力消費も防ぐことができる手術室制御システムを提供する。【解決手段】手術室制御システム１は、手術室内に設けられる医療機器に接続されるシステムコントローラ２２と、手術室２内に設けられる視聴覚機器に接続される視聴覚機器コントローラ６１とを有する。視聴覚機器コントローラ６１は、医療機器の電源を制御する装置であって、医療機器の中で電源をオン又はオフする医療機器の情報が入力され、入力された情報に基づいて、医療機器のそれぞれの電源のオン又はオフを制御する。【選択図】図２
2007068562.tif 000002
【特許請求の範囲】
【請求項１】
手術室内に設けられる２以上の医療機器の電源を制御する装置であって、
前記２以上の医療機器の中で電源をオン又はオフする医療機器の情報を入力する情報入力手段と、
該情報入力手段により入力された前記情報に基づいて、前記２以上の医療機器のそれぞれの電源のオン又はオフを制御する電源制御手段とを有することを特徴とする医療機器用電源制御装置。
【請求項２】
さらに、前記手術室内に設けられる１又は２以上の非医療機器を制御する非医療機器制御手段を有することを特徴とする請求項１記載の医療機器用電源制御装置。
【請求項３】
前記情報入力手段は、前記２以上の医療機器を制御するコントローラから通信により前記オン又はオフする医療機器の情報を入力することを特徴とする請求項１又は請求項２に記載の医療機器用電源制御装置。
【請求項４】
さらに、オンあるいはオフした前記２以上の医療機器がオンあるいはオフしているか否かを確認するための照合処理手段を有することを特徴とする請求項１から請求項３のいずれか１つに記載の医療機器用電源制御装置。
【請求項５】
手術室内に設けられる２以上の医療機器に接続される第１のコントローラと、
該第１のコントローラと通信線を介して接続された第２のコントローラとを有し、
該第２のコントローラは、
前記２以上の医療機器の中で電源をオン又はオフする医療機器の情報を入力する情報入力手段と、
該情報入力手段により入力された前記情報に基づいて、前記２以上の医療機器のそれぞれの電源のオン又はオフを制御する電源制御手段とを含むことを特徴とする手術室制御システム。
【請求項６】
さらに、前記第２のコントローラは、前記手術室内に設けられる１又は２以上の非医療機器を制御する非医療機器制御手段を有することを特徴とする請求項５記載の手術室制御システム置。
【請求項７】
前記情報入力手段は、前記第１のコントローラから通信により前記オン又はオフする医療機器の情報を入力することを特徴とする請求項５又は請求項６に記載の手術室制御システム。
【請求項８】
さらに、前記第２のコントローラは、オンあるいはオフした前記２以上の医療機器がオンあるいはオフしているか否かを確認するための照合処理手段を有することを特徴とする請求項５から請求項７のいずれか１つに記載の手術室制御システム。
【発明の詳細な説明】
【技術分野】
【０００１】
本発明は、医療機器用電源制御装置及び手術室制御システムに関し、特に、手術室に設けられる医療機器の電源を制御する医療機器用電源制御装置及び手術室制御システムに関する。
【背景技術】
【０００２】
従来より、手術室において使用される内視鏡等の医療機器がシステムコントローラ等によって制御される手術システムが提案されている（例えば、特許文献１参照）。システムコントローラには、被制御装置である医療機器として例えば電気メス装置、気腹装置、内視鏡用カメラ装置、光源装置等が接続されている。さらに、システムコントローラには、表示装置、操作パネル等も接続されている。操作パネルは、表示部とタッチセンサにより構成され、非滅菌域にいる看護師等が操作する集中操作装置になっている。表示装置には、内視鏡画像等が表示される。
【０００３】
一方、手術室には、非医療機器であるルームライト、ルームカメラ、インターフォン、液晶表示装置等の視聴覚関連設備があるが、これらは、別途個別に、あるいは集中制御するための視聴覚コントローラによって、制御されている。
【特許文献１】特開２００４−１５７１７７号公報
【発明の開示】
【発明が解決しようとする課題】
【０００４】
しかし、従来は、手術に先立って、手術室にある医療機器全てが電源オンされ、電源オンされた医療機器の中で、手術に使用されない医療機器があっても、手術中電源がオン状態のままの場合があった。  
手術に使用されない医療機器の電源が入っていることは、看護師等が手術に使用するものと誤認するだけでなく、無駄な電力消費に繋がる。
【０００５】
本発明は、上記事情に鑑みてなされたものであり、手術に使用されない医療機器の電源をオフすることができる医療機器用電源制御装置及び手術室制御システムを提供することを目的としている。
【課題を解決するための手段】
【０００６】
本発明の医療機器用電源制御装置は、手術室内に設けられる２以上の医療機器の電源を制御する装置であって、前記２以上の医療機器の中で電源をオン又はオフする医療機器の情報を入力する情報入力手段と、該情報入力手段により入力された前記情報に基づいて、前記２以上の医療機器のそれぞれの電源のオン又はオフを制御する電源制御手段とを有する。
【発明の効果】
【０００７】
本発明によれば、手術に使用されない医療機器の電源をオフすることができる医療機器用電源制御装置及び手術室制御システムを実現することができる。  
【発明を実施するための最良の形態】
【０００８】
以下、図面を用いて、本発明の実施の形態に係わる手術室制御システムを説明する。  
本実施の形態に係わる手術室制御システムは、複数の医療機器と、医療機器制御装置としてのシステムコントローラとを含む。まず、複数の医療機器及びこれらの医療機器を制御するシステムコントローラを含む手術室制御システムの例の１つである内視鏡手術システムについて説明する。図１は、手術室２に配置される内視鏡手術システム３の全体構成を示す構成図である。
【０００９】
図１に示すように、手術室２内には、患者４８が横たわる患者ベッド１０と、内視鏡手術システム３が配置される。この内視鏡手術システム３は、第１カート１１及び第２カート１２を有している。
【００１０】
第１カート１１には、被制御装置である医療機器として例えば電気メス装置１３、気腹装置１４、内視鏡用カメラ装置１５、光源装置１６及びビデオテープレコーダ（ＶＴＲ）１７等の装置類と、二酸化炭素等を充填したガスボンベ１８が載置されている。内視鏡用カメラ装置１５は、カメラケーブル３１ａを介して第１の内視鏡３１に接続される。光源装置１６は、ライトガイドケーブル３１ｂを介して第１の内視鏡３１に接続される。
【００１１】
また、第１カート１１には、表示装置１９、第１の集中表示パネル２０、操作パネル２１等が載置されている。表示装置１９は、内視鏡画像等を表示する、例えばＴＶモニタである。
【００１２】
集中表示パネル２０は、手術中のあらゆるデータを選択的に表示させることが可能な表示手段となっている。操作パネル２１は、例えば液晶ディスプレイ等の表示部とこの表示部上に一体的に設けられた例えばタッチセンサにより構成され、非滅菌域にいる看護師等が操作する集中操作装置になっている。
【００１３】
更に、第１カート１１には、制御装置であるシステムコントローラ２２が載置されている。このシステムコントローラ２２には、上述の電気メス装置１３と気腹装置１４と内視鏡用カメラ装置１５と光源装置１６とＶＴＲ１７とが、図示しない通信線を介して接続されている。システムコントローラ２２には、ヘッドセット型のマイク３３が接続できるようになっており、システムコントローラ２２はマイク３３から入力された音声を認識し、術者の音声により各機器を制御できるようになっている。
【００１４】
一方、前記第２カート１２には、被制御装置である内視鏡用カメラ装置２３、光源装置２４、画像処理装置２５、表示装置２６及び第２の集中表示パネル２７とが載置されている。
【００１５】
内視鏡用カメラ装置２３はカメラケーブル３２ａを介して第２の内視鏡３２に接続される。光源装置２４はライトガイドケーブル３２ｂを介して第２の内視鏡３２に接続される。
【００１６】
表示装置２６は、内視鏡用カメラ装置２３でとらえた内視鏡画像等を表示する。第２の集中表示パネル２７は、手術中のあらゆるデータを選択的に表示させることが可能になっている。
【００１７】
これら内視鏡用カメラ装置２３と光源装置２４と画像処理装置２５とは、第２カート１２に載置された中継ユニット２８に図示しない通信線を介して接続されている。そして、この中継ユニット２８は、中継ケーブル２９によって、上述の第１カート１１に搭載されているシステムコントローラ２２に接続されている。
【００１８】
従って、システムコントローラ２２は、これらの第２カート１２に搭載されているカメラ装置２３、光源装置２４及び画像処理装置２５と、第１カート１１に搭載されている電気メス装置１３、気腹装置１４、カメラ装置１５、光源装置１６及びＶＴＲ１７とを集中制御するようになっている。このため、システムコントローラ２２とこれらの装置との間で通信が行われている場合、システムコントローラ２２は、上述の操作パネル２１の液晶ディスプレイ上に、接続されている装置の設定状態や操作スイッチ等の設定画面を表示できるようになっている。さらに、システムコントローラ２２は、所望の操作スイッチが触れられて所定領域のタッチセンサが操作されることによって設定値の変更等の操作入力が行えるようになっている。
【００１９】
リモートコントローラ３０は、滅菌域にいる執刀医等が操作する第２集中操作装置であり、通信が成立している他の装置を、システムコントローラ２２を介して操作することができるようになっている。
【００２０】
図２は、本実施の形態に係わる手術室制御システム１の全体構成を示すブロック構成図である。手術室制御システム１は、内視鏡手術システム３と、非医療機器システムである視聴覚システム（以下、ＡＶシステムという）４を含む。内視鏡手術システム３は、詳細には図１に示した構成であるが、図２では、説明を簡単にするために簡略化して示してある。図２において、医療機器群５１は、システムコントローラ２２に直接接続、あるいは中継ユニット２８を介して間接的に接続された電気メス１３等の医療機器である。表示パネル５２は、第１の集中表示パネル２０と、中継ユニット２８を介して接続された第２の集中表示パネル２７である。リレー群５５は、各医療機器の電源に接続された複数のリレーを含み、各リレーには、後述するＡＶシステム４の電源用リレー制御ボックス７０からのオン・オフ制御信号が入力される。
【００２１】
図２において、内視鏡５３は、第１の内視鏡３１あるいは第２の内視鏡３２であり、システムコントローラ２２へ直接又は間接に接続されている。内視鏡５３は、操作部５３ａと、挿入部５３ｂとからなる。操作部５３ａには、複数の操作ボタン５４，具体的には４つの操作ボタン５４ａから５４ｄが設けられている。さらに、図１と同様に、システムコントローラ２２には、操作指示入力手段として、リモートコントローラ３０と、マイク３３と、操作パネル２１が接続されている。
【００２２】
手術室制御システム１の視聴覚システム４は、視聴覚コントローラ（以下、ＡＶコントローラという）６１を含み、ＡＶコントローラ６１は、システムコントローラ２２とケーブル９により接続されている。ＡＶコントローラ６１は、中央処理装置（以下、ＣＰＵという）とメモリ（いずれも図示せず）を内蔵し、メモリに記憶された所定のソフトウエアプログラムを実行可能となっている。
【００２３】
ＡＶコントローラ６１は、接続された各視聴覚機器（以下、ＡＶ機器という）を含む非医療機器を制御する、非医療機器制御装置としてのコントローラである。図２に示すように、ＡＶコントローラ６１に接続される非医療機器は、本実施の形態では、表示装置６２と、ルームライト６３と、ルームカメラ６４と、シーリングカメラ６５と、参照画像格納サーバ６６と、遠隔にいる者と会議をするための会議システム（以下、テレ会議システムという）６７と、周辺機器６８である。さらに、ＡＶコントローラ６１には、操作パネル６９が接続されている。従って、ＡＶ機器とは、画像データの記録、再生等を行うＡＶ機器だけでなく、手術室２内に設置された照明等の設備機器をも含む非医療機器をいう。
【００２４】
さらに、ＡＶコントローラ６１には、電源用リレー制御ボックス７０が接続されている。電源用リレー制御ボックス７０は、内視鏡手術システム３の各種医療機器の電源に接続されたリレー群の各リレーにオン・オフ制御信号を、ＡＶコントローラ６１からの制御信号に基づいて出力する。電源用リレー制御ボックス７０からのオン制御信号が入力されたリレーは閉じて、そのリレーに接続された医療機器の電源をオンし、電源用リレー制御ボックス７０からのオフ制御信号が入力されたリレーは開いて、そのリレーに接続された医療機器の電源をオフする。よって、ＡＶコントローラ６１は、医療機器用電源制御装置を構成する。
【００２５】
ＡＶコントローラ６１には、記憶手段として記憶装置６１ａが接続されており、記憶装置６１ａには、ＡＶ機器と医療機器のログデータが記録される。ＡＶコントローラ６１は、手術が開始されると、手術中のＡＶ機器の動作、例えばオン、オフの状態、及び医療機器の電源オンとオフの状態を、時間データと関係付けて、ログデータとして記憶装置６１ａに記録する。
【００２６】
表示装置６２は、液晶表示装置（ＬＣＤ）あるいはプラズマ表示パネル（ＰＤＰ）であり、予め指定された、あるいは操作パネル６９において看護師等が指定した機器の画像、例えば後述する参照画像格納サーバからの画像を表示する。ルームライトは、手術室２内を照明する装置である。ルームカメラ６４は、手術室２内の様子を撮るカメラである。シーリングカメラ６５は、天井からつり下げられ、その位置を変更することができるカメラである。参照画像格納サーバ６６は、術前に撮った患者の内視鏡画像、超音波断層像画像、ＰＡＣＳ等の画像データを格納したサーバ、例えばＤＩＣＯＭサーバであり、手術室２内あるいは手術室２外に設けられる。テレ会議システム６７は、医局あるいはナースステーションにいるナース等と音声と共に映像を表示しながら、会話ができるシステムである。周辺機器６８は、各種機器であり、例えば、プリンタ、ＣＤプレーヤ、ＤＶＤレコーダ、ビデオテープレコーダ（以下、ＶＴＲという）等の機器である。なお、内視鏡手術システム３の内視鏡画像は、ＡＶシステム４へ別な信号線を介して供給されており、ＤＶＤレコーダ、ＶＴＲ等の画像記録装置において録画できるようになっている。操作パネル６９は、ＡＶコントローラ６１に接続された各ＡＶ機器を制御するための装置である。操作パネル２１は、操作パネル２１と同様のパネルであり、例えば液晶ディスプレイ等の表示部とこの表示部上に一体的に設けられた例えばタッチセンサにより構成され、看護師等によって操作される。
【００２７】
本実施の形態に係わる手術室制御システム１は、システムコントローラ２２に接続されたリモコン３０等の操作指示入力手段を操作することによって、ＡＶコントローラ６１に接続された各ＡＶ機器が制御可能となるように構成されている。
【００２８】
また、システムコントローラ２２は、手術時に使用する医療機器を自動的に設定する自動設定機能を有する。システムコントローラ２２の記憶装置（図示せず）に、術者名、手術部位等のキーワード等のキー毎に、使用する医療機器のリストデータを使用機器リストとして予め登録しておく。手術前に、キーをシステムコントローラ２２に入力すると、システムコントローラ２２は、入力されたキーに対応するリストデータを、記憶装置から読み出し、その読み出したリストデータに基づいて、内視鏡手術システム３のシステムの設定を行う。リストデータは、キー毎の医療機器のデータを含む。例えば、リストデータは、キーに対応した、手術に使用する医療機器の情報である。従って、これにより、術者名等のキーデータを入力するだけで、医療機器の設定を自動で行うことができる。なお、リストデータは、手術に使用しない医療機器の情報であってもよい。
【００２９】
次に、上述した手術室制御システム１における電源制御の動作について説明する。  
内視鏡手術システム３が立ち上げられると、上述した医療機器の自動設定がされる。ＡＶシステム４も立ち上げられると、接続されたＡＶ機器についての必要な設定処理がなされ、その後に、あるいは同時に医療機器の電源制御処理を実行する。
【００３０】
図３は、ＡＶコントローラ６１において実行される医療機器の電源制御処理の流れの例を示すフローチャートである。まず、ＡＶコントローラ６１は、全ての医療機器の電源をオンにする（ステップＳ１）。全ての医療機器の電源をオンするために、ＡＶコントローラ６１は、電源用リレー制御ボックス７０に対して、接続されている全ての医療機器の電源に対応する全てのリレーを閉じるリレー制御信号を出力する。電源用リレー制御ボックス７０は、受信したリレー制御信号に応じて各リレーに対してオン信号を出力する。
【００３１】
そして、次に、ＡＶコントローラ６１は、システムコントローラ２２に、手術において使用する医療機器のリストデータを要求する（ステップＳ２）。
【００３２】
ＡＶコントローラ６１は、通信線であるケーブル９を介してシステムコントローラ２２からリストデータを受信したか、すなわち取得したかを判断する（ステップＳ３）。ステップＳ３で、リストデータを取得しないときは、ステップＳ３でＮＯとなり、処理は何もしないで、リストデータの取得まで待つ。ステップＳ３でリストデータを受信する処理が、医療機器のオン情報あるいはオフ情報の入力手段を構成する。
【００３３】
ＡＶコントローラ６１がリストデータを受信すると、ステップＳ３でＹＥＳとなり、そのリストデータに基づいて、ステップＳ１で電源をオンした医療機器の中で不使用の医療機器の電源をオフする（ステップＳ４）。ＡＶコントローラ６１は、不使用の医療機器の電源をオフするために、電源用リレー制御ボックス７０に対して、不使用の医療機器の電源に対応する全てのリレーを開くリレー制御信号を出力する。電源用リレー制御ボックス７０は、受信したリレー制御信号に応じて各リレーに対してオフ信号を出力する。受信したリストデータが、オン情報（オンする医療機器の情報）であれば、ＡＶコントローラ６１は、そのリストにない医療機器に対してオフ信号を出力する。受信したリストデータが、オフ情報（オフする医療機器の情報）であれば、ＡＶコントローラ６１は、そのリストにある医療機器に対してオフ信号を出力する。
【００３４】
さらに、ＡＶコントローラ６１は、オン信号あるいはオフ信号を出力した医療機器が、確かにオンあるいはオフしているか否かを確認するために、ステップＳ４の後に、照合処理を行う（ステップＳ５）。例えば、照合処理は、電源用リレー制御ボックス７０からオンオフ信号のフィードバック信号が得られる場合は、そのフィードバック信号とステップＳ４で出力した制御信号とを比較する、あるいはシステムコントローラ２２と通信してシステムコントローラ２２からオンしている医療機器、あるいはオフしている医療機器の情報を取得できる場合は、システムコントローラ２２から取得した情報と、ステップＳ４で出力した制御信号とを比較する、等の処理によって行う。ステップＳ５における処理が、照合処理手段を構成する。
【００３５】
以上のように、ＡＶコントローラ６１は、使用する医療機器あるいは不使用の医療機器の情報に基づいて、不使用の医療機器の電源をオフする。これにより、手術に使用されない医療機器の電源が入っていることがなく、看護師等が手術に使用するものとの誤認が生ぜず、かつ無駄な電力消費も防ぐことができる。
【００３６】
図４は、ＡＶコントローラ６１において実行される医療機器の電源制御処理の流れの変形例を示すフローチャートである。この変形例においては、初めに全ての医療機器の電源をオンすることなく、必要な機器を手動でオンできるようにした点が上述した図３の処理と異なる。
【００３７】
図４に示すように、まず、ＡＶコントローラ６１は、システムコントローラ２２に、システムコントローラ２２に接続されている全医療機器のリストデータを要求する（ステップＳ１１）。
【００３８】
ＡＶコントローラ６１は、通信線であるケーブル９を介してシステムコントローラ２２からリストデータを受信したか、すなわち取得したかを判断する（ステップＳ１２）。ここで注意すべき点は、上述した図３のステップＳ３で受信するリストデータは、そのときの手術で使用する医療機器のリストデータであるが、本変形例のステップＳ１２で受信するリストデータは、システムコントローラ２２に接続されている全医療機器のリストデータである点である。ステップＳ１２で、リストデータを取得しないときは、ステップＳ１２でＮＯとなり、処理は何もしないで、リストデータの取得まで待つ。
【００３９】
ＡＶコントローラ６１がリストデータを受信すると、ステップＳ１２でＹＥＳとなり、リストデータに基づいて、全ての医療機器を使用するか、言い換えると全ての医療機器をオンするか否かを判断する（ステップＳ１３）。この判断は、看護師等のユーザに選択させることによって判断される。具体的には、ＡＶコントローラ６１は、操作パネル６９に、全ての医療機器の電源をオンするか否かを選択させて指示させるための画面を表示し、その表示画面中の選択ボタン等によってユーザにその判断のための情報を取得する。
【００４０】
ステップＳ１３でＹＥＳのときは、全ての医療機器をオンする（ステップＳ１４）。ステップＳ１４では、具体的には、ＡＶコントローラ６１は、全ての医療機器の電源をオンするために、電源用リレー制御ボックス７０に対して、接続されている全ての医療機器の電源に対応する全てのリレーを閉じるリレー制御信号を出力する。
【００４１】
ステップＳ１３でＮＯの場合、すなわち全ての医療機器をオンしない場合は、受信したリストデータに基づいて、操作パネル６９の表示部にリスト形式で全ての医療機器を表示する（ステップＳ１５）。
【００４２】
図５は、操作パネル６９に表示された全ての医療機器の表示例を示す図である。操作パネル６９の表示部に表示される画面８１は、ユーザがタッチセンサを利用して所定の操作をすると、表示された医療機器の中からオンしたい医療機器を選択するオン機器選択画面である。
【００４３】
オン機器選択画面８１は、全ての医療機器の名称をリスト形式で表示する機器表示部８２と、機器表示部８２に表示された医療機器毎に対応して設けられたチェックボックスを表示する選択指示部８３を含む。さらに、オン機器選択画面８１は、ＯＫボタン８４と、戻るボタン８５とを含む。ＯＫボタン８４は、後述するユーザによって選択された、オンする医療機器を確定させるためのボタンである。戻るボタン８５は、操作パネルにおけるトップメニューへ戻る、すなわちトップメニュー画面表示を指示するためのボタンである。
【００４４】
ユーザはオン機器選択画面８１を見ながら、オンする医療機器に対応するチェックボックスをチェックする。チェックボックスのチェックをする処理は、例えば、チェックボックスを触れることによって、チェックボックスの表示をチェックされた状態に変更することである。そして、オンする医療機器を選択すると、その選択を確定させるために、ユーザはＯＫボタン８４を選択、すなわち触れると、ＡＶコントローラ６１は、チェックボックスにチェックの入った医療機器を、電源をオンする医療機器として選択して決定する選択処理を実行する（ステップＳ１６）。
【００４５】
なお、ここでは、オンする医療機器を選択するようにしたが、ステップＳ１６において、オフする医療機器を選択するようにしてもよい。ステップＳ１６における処理が、医療機器のオン情報あるいはオフ情報の入力手段を構成する。
【００４６】
ステップＳ１６の後に、ＡＶコントローラ６１は、選択された医療機器の電源をオンする（ステップＳ１７）。ＡＶコントローラ６１は、選択された医療機器の電源をオンするために、電源用リレー制御ボックス７０に対して、選択された医療機器の電源に対応する全てのリレーを開くリレー制御信号を出力する。
【００４７】
以上のようにしても、ＡＶコントローラ６１は、使用する医療機器の情報に基づいて、不使用の医療機器の電源をオンする。これにより、手術に使用されない医療機器は、その電源が入らないので、看護師等が手術に使用するものと誤認することがなく、かつ無駄な電力消費も防ぐことができる。
【００４８】
なお、上述した例では、ＡＶコントローラ６１からシステムコントローラ２２に対して、使用する医療機器のリスト、あるいは接続された全ての医療機器のリストの情報を要求しているが、ＡＶコントローラ６１が情報要求をせずに、システムコントローラ２２からＡＶコントローラ６１へリストの情報を送信するようにしてもよい。
【００４９】
図６は、システムコントローラ２２からリストデータをＡＶコントローラ６１へ送信する処理の流れの例を示すフローチャートである。ここでは、上述した自動設定機能により医療機器の設定が行われる場合の例を説明する。
【００５０】
システムコントローラ２２は、まず、送信するリストデータを選択する（ステップＳ２１）。選択されるリストデータは、上述したように、ユーザがキーを入力することによって選択されたリストである。すなわち、例えば、術者名のキーが入力された場合であれば、その術者に対応して予め登録されている、手術時に使用する医療機器のリストデータが選択される。
【００５１】
次に、システムコントローラ２２は、ＡＶコントローラ６１と所定の通信を行い、ＡＶコントローラ６１がリストデータの受信が可能か否かを判定する（ステップＳ２２）。
【００５２】
ＡＶコントローラ６１がリストデータの受信が可能でないときは、Ｓ２２でＮＯとなり、処理は何もしないで、待つ。ＡＶコントローラ６１がリストデータの受信が可能なときは、リストデータを送信する（ステップＳ２３）。
【００５３】
このような処理を、システムコントローラ２２が実行することによって、ＡＶコントローラ６１は、システムコントローラ２２にリストデータの要求をする処理が不要となる。ＡＶコントローラ６１は、このようにしてシステムコントローラ２２から送信された、リストデータに基づいて、使用する医療機器の電源をオンするように、電源用リレー制御ボックスに対してリレー制御信号を送信する。
【００５４】
以上のように、本発明の実施の形態によれば、ＡＶコントローラ６１は、使用する医療機器あるいは不使用の医療機器の情報に基づいて、不使用の医療機器の電源をオフする。これにより、手術に使用されない医療機器の電源が入っていることがなく、看護師等が手術に使用するものとの誤認が生ぜず、かつ無駄な電力消費も防ぐことができる。
【００５５】
本発明は、上述した実施の形態に限定されるものではなく、本発明の要旨を変えない範囲において、種々の変更、改変等が可能である。
【図面の簡単な説明】
【００５６】
【図１】本発明の実施の形態に係わる内視鏡手術システムの全体構成を示す構成図である。
【図２】本発明の実施の形態に係わる手術室制御システムの全体構成を示すブロック構成図である。
【図３】本発明の実施の形態に係わるＡＶコントローラにおいて実行される医療機器の電源制御処理の流れの例を示すフローチャートである。
【図４】本発明の実施の形態に係わるＡＶコントローラにおいて実行される医療機器の電源制御処理の流れの変形例を示すフローチャートである。
【図５】本発明の実施の形態に係わる操作パネルに表示された全ての医療機器の表示例を示す図である。
【図６】本発明の実施の形態に係わるシステムコントローラからリストデータをＡＶコントローラへ送信する処理の流れの例を示すフローチャートである。
【符号の説明】
【００５７】
１  手術室制御システム、２  手術室、３  内視鏡システム、４  視聴覚システム、２２  システムコントローラ、５５  リレー群、６１  視聴覚コントローラ、６１ａ  記憶装置、７０  電源用リレー制御ボックス
【図１】
2007068562.tif 000003
【図２】
2007068562.tif 000004
【図３】
2007068562.tif 000005
【図４】
2007068562.tif 000006
【図５】
2007068562.tif 000007
【図６】
2007068562.tif 000008